(57)【要約】【課題】簡単な構成で熱交換器の両端部を繋ぐ仕切り板の腐食を防止できる天井埋込型空気調和装置を提供すること。【解決手段】送風機９と、この送風機９を囲むように折り曲げられ、両端部１１Ｆ、１１Ｇ同士が仕切り板３５で結合された熱交換器１１と、この熱交換器１１の下面を覆うドレンパン１３とを筐体１内に備え、ドレンパン１３は、ドレン水が溜まる貯留部４２の底面４２Ａよりも高い位置に熱交換器１１が載置される載置部４５を備え、この載置部４５の仕切り板３５に対応する箇所に、当該載置部４５の上面４５Ａよりも高く延在する高台部４６を設けた。【選択図】図５
2010169276.tif 000002
【特許請求の範囲】
【請求項１】
送風機と、この送風機を囲むように折り曲げられ、両端部同士が仕切り板で結合された熱交換器と、この熱交換器の下面を覆うドレンパンとを筐体内に備える天井埋込型空気調和装置において、
前記ドレンパンは、ドレン水が溜まる貯留部の底面よりも高い位置に前記熱交換器が載置される載置部を備え、この載置部の前記仕切り板に対応する箇所に、当該載置部の載置面よりも高く延在する高台部を設けたことを特徴とする天井埋込型空気調和装置。
【請求項２】
前記仕切り板の下端部は、前記高台部の形状に応じて切り欠かれていることを特徴とする請求項１に記載の天井埋込型空気調和装置。
【請求項３】
前記ドレンパンの下面には、電装箱が配置されるとともに、前記高台部に対応する位置に当該電装箱から延びる配線の配線経路を形成したことを特徴とする請求項１または２に記載の天井埋込型空気調和装置。
【発明の詳細な説明】
【技術分野】
【０００１】
本発明は、筐体内に熱交換器の下面を覆うドレンパンを備える天井埋込型空気調和装置に関する。
【背景技術】
【０００２】
従来、送風機と、この送風機を囲むように折り曲げられ、両端部同士が仕切り板で結合された熱交換器と、この熱交換器の下面を覆うドレンパンとを筐体内に備える天井埋込型空気調和装置が知られている（例えば、特許文献１参照）。この種の空気調和装置では、熱交換器は、仕切り板を介して筐体に支持されているため、この仕切り板はある程度の強度を有する鋼板材料で形成されている。
【特許文献１】特開２００８−０６４３９４号公報
【発明の開示】
【発明が解決しようとする課題】
【０００３】
ところで、ドレンパンの貯留部にはドレン水が溜まり、このドレン水に熱交換器が浸る場合には、熱交換器の両端部を結合する仕切り板もドレン水に浸るため、この仕切り板が腐食するおそれがある。仕切り板が腐食すると熱交換器の支持強度が低下するとともに、仕切り板での空気漏れの原因となるため、当該仕切り板を腐食させない方策が検討されている。
ここで、仕切り板の表面に耐食性を有する材料（例えば、亜鉛めっきやニッケルめっき）でコーティング処理したり、仕切り板自体を耐食性を有する材料（例えば、ステンレス材）で形成することが考えられるが、これらの方策では熱交換器のコストが上昇するとともに、構成が複雑化するといった問題がある。
そこで、本発明は、上述した従来の技術が有する課題を解消し、簡単な構成で熱交換器の両端部を繋ぐ仕切り板の腐食を防止できる天井埋込型空気調和装置を提供することを目的とする。
【課題を解決するための手段】
【０００４】
本発明は、送風機と、この送風機を囲むように折り曲げられ、両端部同士が仕切り板で結合された熱交換器と、この熱交換器の下面を覆うドレンパンとを筐体内に備える天井埋込型空気調和装置において、前記ドレンパンは、ドレン水が溜まる貯留部の底面よりも高い位置に前記熱交換器が載置される載置部を備え、この載置部の前記仕切り板に対応する箇所に、当該載置部の載置面よりも高く延在する高台部を設けたことを特徴とする。
【０００５】
この構成によれば、ドレンパンは、ドレン水が溜まる貯留部の底面よりも高い位置に熱交換器が載置される載置部を備えたため、熱交換器及び仕切り板がドレン水に浸ることが抑えられる。さらに、ドレンパンには、載置部の仕切り板に対応する箇所に当該載置部の載置面よりも高く延在する高台部を備えるため、例えば、ドレンポンプの不調等で、ドレンパンの貯留部に溜まるドレン水の量が載置部の高さまで上昇したとしても、仕切り板はドレン水に浸ることが防止されることにより、簡単な構成で仕切り板の腐食を防止することができる。
【０００６】
この構成において、前記仕切り板の下端部は、前記高台部の形状に応じて切り欠かれている構成としても良い。この構成によれば、仕切り板の下端部と高台部との隙間を小さくすることができ、この隙間を通じて仕切り板の外側に空気が漏れることが防止される。
【０００７】
また、この構成において、前記ドレンパンの下面には、電装箱が配置されるとともに、前記高台部に対応する位置に当該電装箱から延びる配線の配線経路を形成した構成としても良い。この構成によれば、高台部に対応する位置に配線経路を形成したため、この配線経路の形成に伴うドレンパンの強度低下を抑えることができる。
【発明の効果】
【０００８】
本発明によれば、ドレンパンは、ドレン水が溜まる貯留部の底面よりも高い位置に熱交換器が載置される載置部を備えたため、熱交換器及び仕切り板がドレン水に浸ることが抑えられる。さらに、ドレンパンには、載置部の仕切り板に対応する箇所に当該載置部の載置面よりも高く延在する高台部を備えるため、例えば、ドレンポンプの不調等で、ドレンパンの貯留部に溜まるドレン水の量が載置部の高さまで上昇したとしても、仕切り板はドレン水に浸ることが防止されることにより、簡単な構成で仕切り板の腐食を防止することができる。
【発明を実施するための最良の形態】
【０００９】
以下、図面を参照して本発明の好適な実施の形態について説明する。
図１は、本発明の実施の形態に係る天井埋込型空気調和装置を示す側断面図である。
天井埋込型空気調和装置（以下、単に空気調和装置という）１００は、板金製の箱形の筐体１を有し、この筐体１の四隅には、吊り金具２Ａ（図２参照）が複数（本実施の形態では、４つ）設けられている。各々の吊り金具２Ａには、天井面１１０に固定された吊りボルト２がナット（不図示）によって固定され、これらの吊りボルト２を介して、空気調和装置１００は天井面１１０から吊り下げ設置される。
【００１０】
筐体１の内側には、発泡スチロール製の断熱材３がほぼ全面にわたって配置されており、この断熱材３の内側に、送風機９、及び熱交換器１１が収容されている。送風機９は、シャフトを下向きに配置されたファンモータ５と、ファンモータ５のシャフトに取り付けられたターボファン７とで構成されている。熱交換器１１は、平面視で多角形状に形成されたプレートフィン型の熱交換器であり、送風機９を取り囲むように配置される。
熱交換器１１の下方には、熱交換器１１の下面を覆うように、発泡スチロール製のドレンパン１３が配設されている。ドレンパン１３の中央には、多角形状の吸込開口３２が開口し、この吸込開口３２には、上記送風機９の吸込部が臨んでいる。また、ドレンパン１３の周縁部には、熱交換器１１を通った送風機９の排気を通すための吹出開口３３が形成されている。吸込開口３２の上部には、吸込開口３２を通った被調和室の空気を送風機９に案内するノズル１７が取り付けられている。また、ドレンパン１３の下面には、空気調和装置１００の制御回路や電源回路等を収容した電装箱１９がねじ止めされている。
【００１１】
筐体１の下面には、化粧パネル２１が取り付けられている。化粧パネル２１は、上記天井面１１０の下方に天井裏空間１１１を介して設けられる天井板１１２に配置されて被調和室に露出している。化粧パネル２１には、被調和室の空気を吸込む吸込口２２と、熱交換器１１を通った調和空気を被調和室に吹き出す吹出口２３とが形成されている。吸込口２２の内側には、フィルタ２５が装着されている。
空気調和装置１００は、図示しない室外機から供給される冷媒を熱交換器１１に通して、熱交換器１１を蒸発器または凝縮器として機能させる。そして、空気調和装置１００は、送風機９の動作により、吸込口２２から被調和室の室内空気を吸い込み、フィルタ２５で清浄化した後、吸込開口３２及びノズル１７を通して室内空気を熱交換器１１に通して冷却または加熱し、調和空気とする。空気調和装置１００は、送風機９の動作により、調和空気を吹出開口３３を通して吹出口２３から被調和室に吹き出し、被調和室を冷房または暖房する。
【００１２】
図２は、化粧パネル２１及びドレンパン１３を取り外した状態の空気調和装置１００を下方から示す図であり、図３は、化粧パネル２１を取り外した状態の空気調和装置１００を下方から示す図である。なお、この図２では、送風機９を破線で示している。
筐体１は、図２に示すように、４つの長辺部３１Ａ〜３１Ｄと、４つの短辺部３２Ａ〜３２Ｄとを備え、ほぼ直角を呈するように配置される２つの隣接する長辺部（例えば、長辺部３１Ａと長辺部３１Ｂ）間に、これらを接続する短辺部（例えば、短辺部３２Ａ）を斜めに配置することにより、筐体１は、縦横の長さがほぼ等しい八角形の外観形状に形成されている。
また、熱交換器１１は略五角形（多角形）状に曲げられて、筐体１の内側に配置されている。この熱交換器１１は、冷媒入口・出口側端部１１Ｆから順に５つの辺１１Ａ，１１Ｂ，１１Ｃ，１１Ｄ，１１Ｅを有し、３つの辺１１Ａ，１１Ｂ，１１Ｃは、筐体１の３つの長辺部３１Ａ，３１Ｂ，３１Ｃに対し略平行に延び、残りの２つの辺１１Ｄ，１１Ｅは、筐体１の１つの短辺部３２Ｃと、残りの長辺部３１Ｄと略平行に延びて配置されている。この構成では、熱交換器１１が、筐体１の短辺部３２Ｃと略平行となるように曲げられた辺１１Ｄを備えることにより、この辺１１Ｄと筐体１の短辺部３２Ｃとの間に大きな空間を設けることができ、この空間にドレンポンプ２８が配置されている。
また、熱交換器１１の曲げ始め位置である冷媒入口・出口側端部１１Ｆと曲げ始め位置である終端部１１Ｇには、それぞれ管板３４Ａ、３４Ｂが設けられ、これら管板３４Ａ、３４Ｂ間は仕切り板３５で連結されている。この仕切り板３５と短辺部３２Ｄとの間には、冷媒入口・出口側端部１１Ｆに接続される配管類２７が配置されている。
【００１３】
ドレンパン１３は、図３に示すように、熱交換器１１から落ちるドレン水を受ける部材であり、筐体１の内面に接した状態で配置される。ドレンパン１３は、筐体１の長辺部３１Ａ〜３１Ｄに沿って形成される４つの吹出開口３３を備え、これら吹出開口３３は化粧パネル２１の吹出口２３に連通している。ドレンパン１３の略中央部には、その下面１３Ａを熱交換器１１と略同一形状に切り欠いて形成した段部３６を備え、この段部３６の略中央に円形の吸込開口３２が形成されるとともに、この吸込開口３２にノズル１７が設けられている。
また、ドレンパン１３の段部３６には、上記した電装箱１９が設けられる。この電装箱１９は、ノズル１７の径方向外側であって、熱交換器１１の辺１１Ｅ及び仕切り板３５に対応する位置に設けられる。このため、平面視で電装箱１９が吸込開口３２上に延在することを防止できるため、吸気抵抗を低減することが可能になる。
また、ドレンパン１３の下面１３Ａには、筐体１の１つの短辺部３２Ｄと電装箱１９との間に亘ってドレンパン１３を断面略凹状に切り欠いた配線経路１６が形成されている。筐体１の外部から電装箱１９に接続される配線（図示略）は、配線経路１６に沿って電装箱１９に案内される。
【００１４】
図４は、ドレンパンの斜視図であり、図５は、図２のＶ−Ｖ断面図である。
ドレンパン１３の上面には、図４に示すように、略中央に上記段部３６に対応して上方に突出した突出部４０が形成されている。また、ドレンパン１３の上面には、周囲に側壁部４１が立設されており、この側壁部４１と突出部４０との間にドレン水が溜まる貯留部４２が形成される。
また、ドレンパン１３には、突出部４０の周囲に熱交換器１１が載置される載置部４５が形成されている。載置部４５は、図５に示すように、この載置部４５の上面（載置面）４５Ａが貯留部４２の底面４２Ａよりも高い位置となるように形成され、より具体的には、載置部４５の高さ（貯留部の底面４２Ａから載置部の上面４５Ａまでの高さ）Ｈ１は、ドレンポンプ２８が停止したときに、ドレンパン１３に逆流するドレン配管（図示略）内の戻り水の高さＨ２よりも高くなっている。これによれば、通常の使用状態では、ドレンパン１３の貯留部４２に溜まるドレン水が、載置部４５の上面４５Ａよりも高くなることがなく、熱交換器１１がドレン水に浸ることが防止される。
【００１５】
さらに、本構成では、載置部４５には、上記した仕切り板３５に対応する箇所に、当該載置部４５の上面４５Ａよりも高く延在する高台部４６が形成されている。この高台部４６は、熱交換器１１の管板３４Ａ、３４Ｂ間に嵌り、当該管板３４Ａ、３４Ｂ間に設けられる仕切り板３５を支持する。この仕切り板３５の下端部３５Ａは、高台部４６の形状に応じて切り欠かれており、載置部４５上に熱交換器１１を載置した場合、仕切り板３５の下端部３５Ａと高台部４６との隙間を小さくすることができ、この隙間を通じて仕切り板３５の外側に空気が漏れることが防止される。また、載置部４５及び高台部４６の上面には、ゴム材料等で形成されたシール材４７が配置され、載置部４５と熱交換器１１との隙間及び高台部４６と仕切り板３５との隙間の気密性を保持している。
【００１６】
また、この高台部４６は、図５に示すように、ドレンパン１３の下面１３Ａに形成された配線経路１６に対応する位置に設けられている。この配線経路１６は、上述のように、ドレンパン１３を断面略凹状に切り欠いて形成されているため、ドレンパン１３の厚みがその分薄くなり、当該ドレンパン１３の強度が低下するおそれがある。しかし、本構成では、高台部４６は配線経路１６に対応する位置に設けられているため、ドレンパン１３の厚みが薄くなることが防止され、当該ドレンパン１３の強度の低下を抑えることができる。
【００１７】
以上、説明したように、本実施形態によれば、送風機９と、この送風機９を囲むように折り曲げられ、両端部１１Ｆ、１１Ｇ同士が仕切り板３５で結合された熱交換器１１と、この熱交換器１１の下面を覆うドレンパン１３とを筐体１内に備え、ドレンパン１３は、ドレン水が溜まる貯留部４２の底面４２Ａよりも高い位置に熱交換器１１が載置される載置部４５を備えたため、熱交換器１１及び仕切り板３５がドレン水に浸ることが抑えられる。さらに、ドレンパン１３は、載置部４５の仕切り板３５に対応する箇所に、当該載置部４５の上面４５Ａよりも高く延在する高台部４６を備えるため、例えば、ドレンポンプの不調等で、ドレンパンの貯留部に溜まるドレン水の量が載置部の高さまで上昇したとしても、仕切り板はドレン水に浸ることが防止されることにより、簡単な構成で仕切り板の腐食を防止することができる。
【００１８】
また、本実施形態によれば、仕切り板３５の下端部３５Ａは、高台部４６の形状に応じて切り欠かれているため、仕切り板３５の下端部３５Ａと高台部４６との隙間を小さくすることができ、この隙間を通じて仕切り板３５の外側に空気が漏れることが防止される。
【００１９】
また、本実施形態によれば、ドレンパン１３の下面１３Ａには、電装箱１９が配置されるとともに、高台部４６に対応する位置に当該電装箱１９から延びる配線の配線経路１６を形成したため、この配線経路１６の形成に伴うドレンパン１３の強度低下を抑えることができる。
【００２０】
以上、本発明の一実施形態について説明したが、本発明はこれに限定されるものではなく、種々の変更実施が可能である。
【図面の簡単な説明】
【００２１】
【図１】本発明の実施の形態に係る天井埋込型空気調和装置の断面図である。
【図２】化粧パネル及びドレンパンを取り外した状態の空気調和装置を下方から示す図である。
【図３】化粧パネルを取り外した状態の空気調和装置を下方から示す図である。
【図４】図４は、ドレンパンの斜視図である。
【図５】図２のＶ−Ｖ断面図である。
【符号の説明】
【００２２】
１  筐体
９  送風機
１１  熱交換器
１１Ｆ  冷媒入口・出口側端部
１１Ｇ  終端部
１３  ドレンパン
１３Ａ  下面
１６  配線経路
１７  ノズル
１９  電装箱
２１  化粧パネル
２８  ドレンポンプ
３４Ａ  管板
３５  仕切り板
３５Ａ  下端部
４０  突出部
４１  側壁部
４２  貯留部
４２Ａ  底面
４５  載置部
４５Ａ  上面（載置面）
４６  高台部
４７  シール材
１００  空気調和装置
【図１】
2010169276.tif 000003
【図２】
2010169276.tif 000004
【図３】
2010169276.tif 000005
【図４】
2010169276.tif 000006
【図５】
2010169276.tif 000007